(57)【要約】【課題】移動局が接続可能な通信網が増えてきた場合でも通信網間で移動局がローミングできるようにする。【解決手段】ローミング制御装置は、移動局との通信に国際移動体加入者識別情報を用いる第１通信網及び複数の第２通信網に接続されている。国際移動体加入者識別情報の加入者識別番号割り当て部の一部には、複数の第２通信網それぞれを識別可能な拡張通信網識別情報が割り当てられている。ローミング制御装置は、複数の第２通信網に対応する複数の拡張通信網識別情報を記憶し、複数の第２通信網のいずれかをホーム網とする移動局が第１通信網又は他の第２通信網に在圏するとき、その移動局から受信した国際移動体加入者識別情報に含まれる拡張通信網識別情報と、前記記憶されている拡張通信網識別情報とに基づいて、移動局のホーム網を判断し、在圏網とホーム網との間のローミングを開始するように制御する。【選択図】図１
2018014610.tif 000002
【特許請求の範囲】
【請求項１】
複数の通信網間のローミングを制御するローミング制御装置であって、
移動局との通信に国際移動体加入者識別情報を用いる第１通信網及び複数の第２通信網に接続され、
前記国際移動体加入者識別情報の加入者識別番号割り当て部の一部に、前記複数の第２通信網それぞれを識別するための拡張通信網識別情報が割り当てられ、
前記複数の第２通信網に対応する複数の拡張通信網識別情報を記憶する記憶手段と、
前記複数の第２通信網のいずれかをホーム網とする移動局が前記第１通信網又は他の第２通信網に在圏するとき、その移動局から受信した前記国際移動体加入者識別情報に含まれる拡張通信網識別情報と、前記記憶手段に記憶されている拡張通信網識別情報とに基づいて、前記移動局のホーム網を判断し、前記在圏網と前記ホーム網との間のローミングを開始するように制御する制御手段と、を備えることを特徴とするローミング制御装置。
【請求項２】
請求項１のローミング制御装置において、
前記第１通信網は通信事業者通信網であり、
前記第２通信網は自営通信網であることを特徴とするローミング制御装置。
【請求項３】
請求項１のローミング制御装置において、
前記第１通信網及び前記第２通信網はいずれも自営通信網であることを特徴とするローミング制御装置。
【請求項４】
請求項１のローミング制御装置において、
前記第１通信網及び前記第２通信網はいずれも通信事業者通信網であることを特徴とするローミング制御装置。
【請求項５】
請求項１乃至４のいずれかのローミング制御装置において、
前記拡張通信網識別情報は、前記加入者識別番号割り当て部の先頭の複数桁に割り当てられた番号であることを特徴とするローミング制御装置。
【請求項６】
請求項１乃至５のいずれかのローミング制御装置において、
前記第２通信網をホーム網とする移動局を識別可能な移動局識別番号は、前記国際移動体加入者識別情報の加入者識別番号割り当て部における前記拡張通信網識別情報以外の部分に割り当てられ、
前記移動局識別番号の桁数は前記第２通信網ごとに設定されていることを特徴とするローミング制御装置。
【請求項７】
移動局との通信に国際移動体加入者識別情報を用いる第１通信網及び複数の第２通信網の間の通信を中継する通信中継装置であって、
請求項１乃至６のいずれかのローミング制御装置を備え、
前記国際移動体加入者識別情報の加入者識別番号割り当て部の一部に、前記複数の第２通信網それぞれを識別可能な拡張通信網識別情報が割り当てられていることを特徴とする通信中継装置。
【請求項８】
移動局との通信に国際移動体加入者識別情報を用いる第１通信網及び複数の第２通信網と、請求項１乃至７のいずれかのローミング制御装置と、を備え、
前記国際移動体加入者識別情報の加入者識別番号割り当て部の一部に、前記複数の第２通信網それぞれを識別可能な拡張通信網識別情報が割り当てられていることを特徴とする通信システム。
【請求項９】
請求項８の通信システムにおいて、
前記第１通信網及び前記複数の第２通信網は、中継網を介して互いに接続され、
前記ローミング制御装置は、前記中継網に設けられていることを特徴とする通信システム。
【請求項１０】
請求項９の通信システムにおいて、
前記中継網は、国際ローミング中継網、又は、前記複数の第２の通信網が接続された第２通信網用のローミング中継網であることを特徴とする通信システム。
【請求項１１】
請求項８の通信システムにおいて、
前記ローミング制御装置は、前記通信事業者通信網に設けられていることを特徴とする通信システム。
【請求項１２】
請求項８の通信システムにおいて、
前記ローミング制御装置は、前記複数の第２通信網のいずれかに設けられていることを特徴とする通信システム。
【請求項１３】
請求項８乃至１２のいずれかの通信システムにおいて、
前記第２通信網は、有線又は無線を介して複数の電話機が接続された交換機を備えることを特徴とする通信システム。
【請求項１４】
請求項１２の通信システムにおいて、
前記交換機はＰＨＳ（Ｐｅｒｓｏｎａｌ  Ｈａｎｄｙ  Ｐｈｏｎｅ  Ｓｙｓｔｅｍ）の基地局の機能を有することを特徴とする通信システム。
【請求項１５】
請求項８乃至１４のいずれかの通信システムにおいて、
前記第１通信網及び前記第２通信網は、ＬＴＥ（Ｌｏｎｇ  Ｔｅｒｍ  Ｅｖｏｌｕｔｉｏｎ）／ＬＴＥ−Ａｄｖａｎｃｅｄの標準規格に準拠し、
前記ローミング制御装置は、ＭＭＥ（Ｍｏｂｉｌｉｔｙ  Ｍａｎａｇｅｍｅｎｔ  Ｅｎｔｉｔｙ）又はＨＳＳ（Ｈｏｍｅ  Ｓｕｂｓｃｒｉｂｅｒ  Ｓｅｒｖｅｒ）に設けられていることを特徴とする通信システム。
【請求項１６】
請求項１５の通信システムにおいて、
前記通信事業者通信網及び前記自営通信網における移動局との間の無線通信方式は、ＴＤ（Ｔｉｍｅ  Ｄｉｖｉｓｉｏｎ  Ｄｕｐｌｅｘ）−ＬＴＥ方式又はＦＤＤ（Ｆｒｅｑｕｅｎｃｙ  Ｄｉｖｉｓｉｏｎ  Ｄｕｐｌｅｘ）−ＬＴＥ方式であることを特徴とする通信システム。
【請求項１７】
複数の通信網間のローミングを制御するローミング制御方法であって、
第１通信網及び複数の第２通信網それぞれにおいて移動局との通信に用いられる国際移動体加入者識別情報の加入者識別番号割り当て部の一部に、前記複数の第２通信網それぞれを識別するための拡張通信網識別情報が割り当てられ、
前記複数の第２通信網のいずれかをホーム網とする移動局が第１通信網又は他の第２通信網に在圏するとき、その移動局から受信した前記国際移動体加入者識別情報に含まれる拡張事業者識別情報に基づいて前記移動局のホーム網を判断し、前記在圏網と前記ホーム網との間のローミングを開始することを特徴とするローミング制御方法。
【発明の詳細な説明】
【技術分野】
【０００１】
本発明は、複数の通信網間のローミングを制御するローミング制御装置及びローミング制御方法、並びに、そのローミング制御装置を備えた通信中継装置及び通信システムに関するものである。
【背景技術】
【０００２】
従来、移動局を使用する事業者が自ら運営する自営型のＰＨＳ（Ｐｅｒｓｏｎａｌ  Ｈａｎｄｙ  Ｐｈｏｎｅ  Ｓｙｓｔｅｍ）の通信システムが知られている（例えば、特許文献１参照）。
【発明の概要】
【発明が解決しようとする課題】
【０００３】
上記自営通信網は、移動局（以下、「通信端末装置」、「端末」又は「ユーザ機器」ともいう。）の使用者側で比較的簡易に構築して運営することができ、企業、大型店舗、工場、病院などで広く利用されている。このような自営通信網が増えていった場合、各自営通信網と、移動体通信事業者が管理運営するＬＴＥ（Ｌｏｎｇ  Ｔｅｒｍ  Ｅｖｏｌｕｔｉｏｎ）等の無線通信標準規格に準拠した通信事業者通信網との間や、複数の自営通信網間でローミングできないという課題がある。また、通信事業者通信網が増えていった場合も、通信事業者通信網と自営通信網との間や、複数の通信事業者通信網間でローミングできないという課題がある。
【課題を解決するための手段】
【０００４】
本発明の一態様に係るローミング制御装置は、複数の通信網間のローミングを制御するローミング制御装置であって、移動局との通信に国際移動体加入者識別情報を用いる第１通信網と複数の第２通信網とに接続され、前記国際移動体加入者識別情報の加入者識別番号割り当て部の一部に、前記複数の第２通信網それぞれを識別するための拡張通信網識別情報が割り当てられ、前記複数の第２通信網に対応する複数の拡張通信網識別情報を記憶する記憶手段と、前記複数の第２通信網のいずれかをホーム網とする移動局が他の第２通信網又は第１通信網に在圏するとき、その移動局から受信した前記国際移動体加入者識別情報に含まれる拡張事業者識別情報と、前記記憶手段に記憶されている拡張通信網識別情報とに基づいて、前記移動局のホーム網を判断し、前記在圏網と前記ホーム網との間のローミングを開始するように制御する制御手段と、を備える。
前記ローミング制御装置において、前記第１通信網は通信事業者通信網であり、前記第２通信網は自営通信網であってもよい。
また、ローミング制御装置において、前記第１通信網及び前記第２通信網はいずれも自営通信網であってもよいし、又は、通信事業者通信網であってもよい。
また、前記ローミング制御装置において、前記拡張通信網識別情報は、前記加入者識別番号割り当て部の先頭の複数桁に割り当てられた番号であってもよい。
また、前記ローミング制御装置において、前記第２通信網をホーム網とする移動局を識別可能な移動局識別番号は、前記国際移動体加入者識別情報の加入者識別番号割り当て部における前記拡張通信網識別情報以外の部分に割り当てられ、前記移動局識別番号の桁数は前記第２通信網ごとに設定してもよい。
【０００５】
本発明の他の態様に係る通信中継装置は、移動局との通信に国際移動体加入者識別情報を用いる第１通信網及び複数の第２通信網の間の通信を中継する通信中継装置であって、前記いずれかのローミング制御装置を備え、前記国際移動体加入者識別情報の加入者識別番号割り当て部の一部に、前記複数の第２通信網それぞれを識別するための拡張通信網識別情報が割り当てられている。
【０００６】
本発明の更に他の態様に係る通信システムは、移動局との通信に国際移動体加入者識別情報を用いる第１通信網及び複数の第２通信網と、前記いずれかのローミング制御装置と、を備え、前記国際移動体加入者識別情報の加入者識別番号割り当て部の一部に、前記複数の第２通信網それぞれを識別するための拡張通信網識別情報が割り当てられている。
前記通信システムにおいて、前記第１通信網及び前記複数の第２通信網は、中継網を介して互いに接続され、前記ローミング制御装置は、前記中継網に設けてもよい。ここで、前記中継網は、国際ローミング中継網、又は、前記複数の第２通信網が接続された第２通信網用のローミング中継網であってもよい。
また、前記通信システムにおいて、前記ローミング制御装置は、前記第１通信網、又は、前記複数の第２通信網のいずれかに設けてよい。
また、前記通信システムにおいて、前記第２通信網は、有線又は無線を介して複数の電話機が接続された交換機を備えてもよい。ここで、前記交換機はＰＨＳ（Ｐｅｒｓｏｎａｌ  Ｈａｎｄｙ  Ｐｈｏｎｅ  Ｓｙｓｔｅｍ）の基地局の機能を有してもよい。
また、前記通信システムにおいて、前記第１通信網及び前記第２通信網は、ＬＴＥ（Ｌｏｎｇ  Ｔｅｒｍ  Ｅｖｏｌｕｔｉｏｎ）／ＬＴＥ−Ａｄｖａｎｃｅｄの標準規格に準拠し、前記ローミング制御装置は、ＭＭＥ（Ｍｏｂｉｌｉｔｙ  Ｍａｎａｇｅｍｅｎｔ  Ｅｎｔｉｔｙ）又はＨＳＳ（Ｈｏｍｅ  Ｓｕｂｓｃｒｉｂｅｒ  Ｓｅｒｖｅｒ）に設けてもよい。ここで、前記第２通信網は、有線又は無線を介して複数の電話機が接続されたＰＢＸ（Ｐｒｉｖａｔｅ  Ｂｒａｎｃｈ  ｅＸｃｈａｎｇｅ）と、前記ＰＢＸとＥＰＣ（Ｅｖｏｌｖｅｄ  Ｐａｃｋｅｔ  Ｃｏｒｅ）との間の音声通信を中継するＩＭＳ（ＩＰ  Ｍｕｌｔｉｍｅｄｉａ  Ｓｕｂｓｙｓｔｅｍ）と、を備えてもよい。また、前記第１通信網及び前記第２通信網における移動局との間の無線通信方式は、ＴＤ（Ｔｉｍｅ  Ｄｉｖｉｓｉｏｎ  Ｄｕｐｌｅｘ）−ＬＴＥ方式又はＦＤＤ（Ｆｒｅｑｕｅｎｃｙ  Ｄｉｖｉｓｉｏｎ  Ｄｕｐｌｅｘ）−ＬＴＥ方式であってもよい。
【０００７】
また、本発明の更に他の態様に係るローミング制御方法は、第１通信網及び複数の第２通信網それぞれにおいて移動局との通信に用いられる国際移動体加入者識別情報の加入者識別番号割り当て部の一部に、前記複数の第２通信網それぞれを識別するための可能な拡張通信網識別情報が割り当てられ、前記複数の第２通信網のいずれかをホーム網とする移動局が他の第２通信網又は第１通信網に在圏するとき、その移動局から受信した前記国際移動体加入者識別情報に含まれる拡張事業者識別情報に基づいて前記移動局のホーム網を判断し、前記在圏網と前記ホーム網との間のローミングを開始する。
【発明の効果】
【０００８】
本発明によれば、移動局が接続可能な通信網が増えてきた場合でも通信網間で移動局がローミングできる。
【図面の簡単な説明】
【０００９】
【図１】本発明の実施形態に係る通信システムの全体概略構成の一例を示す説明図。
【図２】同通信システムにおける第１通信網、第２通信網及び中継網のプロキシノード群の主要構成の一例を示す図。
【図３】図２の通信システムにおいて第２通信網をホーム網とする移動局が第１通信網に在圏するときのローミング処理の一例を示すシーケンス図。
【図４】図２の通信システムにおいて第１通信網をホーム網とする移動局が第２通信網に在圏するときのローミング処理の一例を示すシーケンス図。
【図５】他の実施形態に係る通信システムの全体概略構成の一例を示す説明図。
【図６】同通信システムにおける第１通信網及び第２通信網の主要構成の一例を示す図。
【図７】図６の通信システムにおいて第２通信網をホーム網とする移動局が第１通信網に在圏するときのローミング処理の一例を示すシーケンス図。
【図８】更に他の実施形態に係る通信システムの全体概略構成の一例を示す説明図。
【図９】同通信システムにおける第１通信網及び第２通信網の主要構成の一例を示す図。
【図１０】図９の通信システムにおいて第２通信網をホーム網とする移動局が第１通信網に在圏するときのローミング処理の一例を示すシーケンス図。
【図１１】図９の通信システムにおいて第１通信網をホーム網とする移動局が第２通信網に在圏するときのローミング処理の一例を示すシーケンス図。
【図１２】更に他の実施形態に係る通信システムの全体概略構成の一例を示す説明図。
【図１３】同通信システムにおける第１通信網（キャリア通信網）、第２通信網（自営通信網）及び自営中継網の主要構成の一例を示す図。
【図１４】図１３の通信システムにおいて第２通信網（自営通信網）をホーム網とする移動局が第１通信網（キャリア通信網）に在圏するときのローミング処理の一例を示すシーケンス図。
【図１５】図１４の通信システムにおいて第１通信網（キャリア通信網）をホーム網とする移動局が第２通信網（自営通信網）に在圏するときのローミング処理の一例を示すシーケンス図。
【発明を実施するための形態】
【００１０】
以下、図面を参照して本発明の実施の形態について説明する。
図１は、本発明の実施形態に係る通信システムの全体概略構成の一例を示す説明図である。本実施形態の通信システムは、第１通信網１００と、複数の第２通信網２００と、中継網３００とを備える。なお、図１では第１通信網１００が一つの場合について示しているが、第１通信網１００は複数であってもよい。また、第１通信網１００が通信事業者通信網（以下「キャリア通信網」という。）であり、第２通信網２００が自営通信網であってもよい。また、本実施形態において、第１通信網１００及び第２通信網２００の両方がキャリア通信網であってもよく、第１通信網１００及び第２通信網２００の両方が自営通信網であってもよい。ここで、キャリア通信網は移動局の通信サービスを提供する移動体通信事業者（キャリア）が管理運営する通信網である。また、自営通信網は、移動局が使用されている企業、大型店舗、工場、病院などの事業者（以下「自営事業者」ともいう。）や自営通信網の専門業者が管理運営する通信網である。
【００１１】
中継網３００は、複数の通信網間の通信を中継する通信網であり、例えば専門の中継通信事業者によって管理運営される。中継網３００は、第１通信網１００と第２通信網２００との間の通信を中継することができる。また、中継網３００は、複数の第１通信網１００間の通信や複数の第２通信網２００間の通信を中継可能に構成してもよい。なお、中継網３００は、移動体通信事業者又は自営通信事業者によって管理運営されるものであってもよい。また、中継網３００は、複数の国にまたがって通信網間の通信を中継する国際ローミング中継事業者の中継網であってもよい。
【００１２】
本実施形態において、第１通信網１００及び第２通信網２００はそれぞれ国際的な通信標準規格であるＬＴＥ／ＬＴＥ−Ａｄｖａｎｃｅｄに準拠した通信方式を用い、各通信網１００、２００と移動局との間の無線通信方式は、ＴＤ（Ｔｉｍｅ  Ｄｉｖｉｓｉｏｎ  Ｄｕｐｌｅｘ）−ＬＴＥ方式である。移動局１１，１２はいずれも、ＴＤ−ＬＴＥ方式により第１通信網１００及び第２通信網２００それぞれと通信することができる。なお、各通信網１００、２００と移動局との間の無線通信方式は、ＦＤＤ（Ｆｒｅｑｕｅｎｃｙ  Ｄｉｖｉｓｉｏｎ  Ｄｕｐｌｅｘ）−ＬＴＥ方式であってもよい。また、第１通信網１００及び第２通信網２００のいずれか一方の通信方式がＴＤ−ＬＴＥ方式であり他方がＦＤＤ−ＬＴＥ方式であってもよい。また、各通信網１００、２００における通信方式は、ＬＴＥ／ＬＴＥ−Ａｄｖａｎｃｅｄ以外の通信標準規格に準拠したものであってもよい。
【００１３】
移動局１１，１２はいずれも、ＴＤ−ＬＴＥ方式により第１通信網１００及び第２通信網２００それぞれと通信することができる。
【００１４】
第１通信網１００は、マクロセルやスモールセル等の基地局（「ｅＮｏｄｅＢ」ともいう。）１０５が接続されたＬＴＥのコアネットワーク（ＥＰＣ：Ｅｖｏｌｖｅｄ  Ｐａｃｋｅｔ  Ｃｏｒｅ）１１０を備えている。コアネットワーク（ＥＰＣ）１１０は、基地局１０５を介して、第１通信網１００の通信サービスの加入者の移動局（以下「ユーザ機器」、「ＵＥ」又は「第１ＵＥ」という。）１１や、自セルに在圏するローミング対象の移動局（第２ＵＥ）１２と通信することができる。また、コアネットワーク（ＥＰＣ）１１０は、ＩＭＳ（ＩＰ・マルチメディア・サブシステム）１２０を介して回線交換方式の公衆交換電話網（ＰＳＴＮ）６００に接続されている。また、コアネットワーク（ＥＰＣ）１１０は、ファイアウォール機能を有するＧｉインターフェース装置（Ｇｉ−ＬＡＮ）１３０を介してインターネット７００に接続されている。
【００１５】
第２通信網２００は、マクロセルやスモールセル等の基地局（「ｅＮｏｄｅＢ」ともいう。）２０５が接続されたＬＴＥのコアネットワーク（ＥＰＣ）２１０を備えている。コアネットワーク（ＥＰＣ）２１０は、基地局２０５を介して、第２通信網２００の通信サービスの利用者の移動局（以下「ユーザ機器」、「ＵＥ」又は「第２ＵＥ」という。）１２や、自セルに在圏するローミング対象の移動局（ＵＥ）１１と通信することができる。また、コアネットワーク（ＥＰＣ）２１０は、ＩＭＳ２２０及び構内交換機（ＰＢＸ）２４０を介して公衆交換電話網（ＰＳＴＮ）６００に接続されている。構内交換機（ＰＢＸ）２４０には有線又は無線を介して複数の電話機２０が接続され、これらの電話機２０の間の内線通話や、自セルの移動局（第２ＵＥ）１２と電話機２０との通話が可能になっている。また、コアネットワーク（ＥＰＣ）２１０は、アプリケーション・サーバ（ＡＳ）２３０を介してインターネット７００に接続されている。
【００１６】
中継網３００は、第１通信網１００と第２通信網２００との間の通信を中継するプロキシノード群からなる通信中継装置３１０を備えている。この通信中継装置３１０と、第１通信網１００のコアネットワーク（ＥＰＣ）１１０及び第２通信網２００のコアネットワーク（ＥＰＣ）２１０とは、ＬＴＥの所定のインターフェース（例えばＳ８インターフェース）４００を介して接続されている。通信中継装置３１０は、移動局１１、１２に割り当てられた国際移動体加入者識別情報（ＩＭＳＩ）に基づいて、移動局１１、１２が相互にローミング可能になるように第１通信網１００と第２通信網２００との間でローミング処理を行うとともに通信網間の通信を中継するローミング制御装置としても機能する。
【００１７】
図２は、本実施形態の通信システムにおける第１通信網１００、第２通信網２００及び中継網３００のプロキシノード群３１０の主要構成の一例を示す図である。
第１通信網１００は、ＥＰＣ（コアネットワーク）と、ＨＳＳ（ホーム加入者サーバ）１１４とを備えている。ＥＰＣは、ＭＭＥ（モビリティ・管理・エンティティ）１１１と、ＳＧＷ（サービング・ゲートウェイ）１１２と、ＰＧＷ（パケットデータ網・ゲートウェイ）１１３と、ポリシー課金制御装置であるＰＣＲＦ（ポリシー課金ルール機能）１１５と、を備えている。ＭＭＥ１１１は、基地局（ｅＮｏｄｅＢ）１０５を収容し、モビリティ制御などを提供する論理ノードである。また、ＳＧＷ１１２は、ＭＭＥ１１１とＰＧＷ１１３との間でユーザデータを中継したり第２通信網２００などの他の通信網のコアネットワーク側にユーザデータを転送したりする在圏パケットゲートウェイ（在圏パケット交換機）である。また、ＰＧＷ１１３は、ＩＰアドレスの割当てやＳＧＷ１１２へのパケット転送などを行うゲートウェイである。ＨＳＳ１１４は、加入者情報の管理やサービス制御などを行うサーバである。また、ＰＣＲＦ１１５は、ユーザデータ転送のＱｏＳ（通信サービス品質）及び課金のための制御を行う論理ノードである。
【００１８】
また、第２通信網２００は、ＭＭＥ２１１とＳＧＷ２１２とＰＧＷ２１３とを有するＥＰＣ（コアネットワーク）と、ＨＳＳ２１４とを備えている。
【００１９】
また、中継網３００の通信中継装置３１０は、第１通信網１００と同様にＨＳＳ３１４とＰＣＲＦ３１５とを備えるとともに、中継ノードとしてのＭＭＥ／ＨＳＳ３１１とＳＧＷ／ＰＧＷ３１２とを備える。ＭＭＥ／ＨＳＳ３１１は、第１通信網１００側のＭＭＥ１１１と第２通信網２００側のＨＳＳ２１４との通信、及び第２通信網２００側のＭＭＥ２１１と第１通信網１００側のＨＳＳ１１４との通信を中継する。また、ＳＧＷ／ＰＧＷ３１２は、第１通信網１００側のＳＧＷ１１２と第２通信網２００側のＰＧＷ２１３との通信、及び第２通信網２００側のＳＧＷ２１２と第１通信網１００側のＰＧＷ１１３との通信を中継する。
【００２０】
また、本実施形態において、通信中継装置３１０のＭＭＥ／ＨＳＳ３１１及びＳＧＷ／ＰＧＷ３１２は、移動局１１、１２に割り当てられた国際移動体加入者識別情報であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）に基づいて、移動局１１、１２が相互にローミング可能になるように第１通信網１００と第２通信網２００との間でローミング処理を行うとともに通信網間の通信を中継する。ＭＭＥ／ＨＳＳ３１１及びＳＧＷ／ＰＧＷ３１２の少なくとも一方は、ローミング処理に用いられる複数の第２通信網２００に対応する複数の拡張通信網識別情報を記憶する記憶手段としてのデータベースを備える。
【００２１】
表１は、通信中継装置３１０のデータベースに記憶される拡張通信網識別情報としての拡張通信網識別番号を少なくとも含むローミング処理用データの一例を示す。表１のローミング処理用データは、５桁の数字からなる拡張通信網識別情報と、第２通信網２００の名称と、ＨＳＳ２１４の接続情報と、ＰＧＷ２１３の接続情報とを有する。また、通信中継装置３１０のデータベースには、第１通信網１００側のローミング処理用データも格納されている。第１通信網１００のローミング処理用データは、例えば、２桁の数字からなる通信事業者識別情報と、第１通信網１００の名称と、ＨＳＳ１１４の接続情報とを有する。
【表１】
2018014610.tif 000003
【００２２】
また、第２通信網２００の移動局１２に割り当てられる１５桁のＩＭＳＩは、３桁の国識別番号割り当て部と、２桁の事業者識別番号割り当て部と、１０桁の加入者識別番号割り当て部とを有する。このＩＭＳＩの１０桁の加入者識別番号割り当て部の一部（本例では５桁）に、表１の拡張通信網識別番号が割り当てられる。また、ＩＭＳＩの２桁の事業者識別番号割り当て部に、通信事業者識別番号が割り当てられる。
【００２３】
中継網３００のＭＭＥ／ＨＳＳ３１１は、次のような制御を行う制御手段としても機能する。すなわち、ＭＭＥ／ＨＳＳ３１１は、複数の第２通信網２００のいずれかをホーム網とする移動局（第２ＵＥ）１２が他の第２通信網２００又は第１通信網１００に在圏するとき、その移動局１２から受信したＩＭＳＩに含まれる拡張事業者識別番号と、前記データベースに記憶されている拡張通信網識別番号とに基づいて、移動局１２のホーム網を判断し、移動局１２による在圏網とホーム網との間のローミングを開始するように制御する。
【００２４】
本実施形態の通信システムの第１通信網１００、第２通信網２００及び中継網３００における各構成要素は、例えば個別の独立したコンピュータ装置で構成したり、共用される単一のコンピュータ装置で構成したりすることができる。また、前記各構成要素は、通信ネットワークで互いに接続された複数のコンピュータ装置の群で構成してもよい。
【００２５】
図３は、図２の通信システムにおいて第２通信網２００をホーム網とする移動局（第２ＵＥ）１２が第１通信網１００に在圏するときのローミング処理の一例を示すシーケンス図である。
図３において、まず、第２通信網２００をホーム網とする移動局である第２ＵＥ１２が第１通信網１００に在圏するときに第２ＵＥ１２の電源をＯＮにする（Ｓ１０１）と、第２ＵＥ１２は、ＭＭＥ１１１に対して、ＩＭＳＩを含む位置登録要求（アタッチ要求信号）を送信する（Ｓ１０２）。
【００２６】
次に、第１通信網１００のＭＭＥ１１１は、第２ＵＥ１２から受信した位置登録要求（アタッチ要求信号）に基づいて、第２通信網（ホーム網）２００との間で連携した位置登録のために、中継網３００のＭＭＥ／ＨＳＳ３１１に対して、第２ＵＥ１２のＩＭＳＩを含む位置登録要求を送信する（Ｓ１０３）。ＭＭＥ／ＨＳＳ３１１は、ＭＭＥ１１１から受信した位置登録要求に基づいて、第２ＵＥ１２のＩＭＳＩを解析し、ＩＭＳＩに含まれる拡張通信網識別番号と前記データベースの情報とに基づいて、第２ＵＥ１２のホーム網を選択する（Ｓ１０４）。この中継網３００による選択結果に基づいて、第１通信網１００に在圏する第２ＵＥ１２と、その第２ＵＥ１２のホーム網である第２通信網２００との間で、認証などの所定のセキュリティ手順が実行される（Ｓ１０５）。
【００２７】
次に、第１通信網１００のＭＭＥ１１１は、中継網３００を介して第２通信網２００のＨＳＳ２１４に位置登録要求を送信する（Ｓ１０６）。第２通信網２００のＨＳＳ２１４は、第１通信網１００のＭＭＥ１１１に、位置登録応答（Ｕｐｄａｔｅ  Ｌｏｃａｔｉｏｎ  Ａｎｓｗｅｒ信号）を送信する（Ｓ１０７）。この位置登録応答の信号は、ＭＭＥ１１１がホーム網２００のＰＧＷ２１３を選択するように設定される。例えば、位置登録応答の信号に含まれるＳｕｂｓｃｒｉｂｅｄ  Ｄａｔａ内のＡＰＮ（アクセスポイント名）に対応付けられる情報要素である「ＶＰＬＭＮ  Ｄｙｎａｍｉｃ  Ａｄｄｒｅｓｓ  Ａｌｌｏｗｅｄ」の値が「（０）：ｎｏｔ  ａｌｌｏｗｅｄ」に設定される。この設定により、ＭＭＥ１１１は、ホーム網２００のＰＧＷ２１３を選択する（Ｓ１０８）。
【００２８】
次に、在圏網（第１通信網）１００のＳＧＷ１１２と、ホーム網２００のＰＧＷ２１３と間でベアラ（ＱＣＩ：ＱｏＳ  Ｃｌａｓｓ  Ｉｄｅｎｔｉｆｉｅｒの値）が設定される（Ｓ１０９）。その後、在圏網（第１通信網）１００のＭＭＥ１１１は、アタッチが完了した旨のＡｔｔａｃｈ  Ａｃｃｅｐｔ信号を第２ＵＥ１２に送信する（Ｓ１１０）。
【００２９】
以上の処理により第２ＵＥ１２による第２通信網２００と第１通信網１００との間のローミングが開始され、第２通信網２００をホーム網とする第２ＵＥ１２が在圏網である第１通信網１００で通信可能な状態になる。例えば、第１通信網１００に在圏する第２ＵＥ１２で、ホーム網の第２通信網２００における内線番号の発着が可能になる。また、第１通信網１００に在圏する第２ＵＥ１２からホーム網の第２通信網２００におけるイントラネットにアクセス可能になる。
【００３０】
図４は、図２の通信システムにおいて第１通信網１００をホーム網とする移動局（第１ＵＥ）１１が第２通信網２００に在圏するときのローミング処理の一例を示すシーケンス図である。なお、図４において、図３と同様な部分については説明を省略する。
【００３１】
図４において、まず、第１通信網１００をホーム網とする移動局である第１ＵＥ１１が複数の第２通信網２００のいずれかに在圏するときに第１ＵＥ１１の電源をＯＮにする（Ｓ２０１）と、第１ＵＥ１１は、ＭＭＥ２１１に対して、ＩＭＳＩを含む位置登録要求（アタッチ要求信号）を送信する（Ｓ２０２）。
【００３２】
次に、在圏網の第２通信網２００のＭＭＥ２１１は、第１ＵＥ１１から受信した位置登録要求（アタッチ要求信号）に基づいて、第１通信網（ホーム網）１００との間で連携した位置登録のために、中継網３００のＭＭＥ／ＨＳＳ３１１に対して、第１ＵＥ１１のＩＭＳＩを含む位置登録要求を送信する（Ｓ２０３）。ＭＭＥ／ＨＳＳ３１１は、ＭＭＥ２１１から受信した位置登録要求に基づいて、第１ＵＥ１１のＩＭＳＩを解析し、ＩＭＳＩに含まれる事業者識別番号及び拡張通信網識別番号と前記データベースの情報とに基づいて、第１ＵＥ１１のホーム網及び在圏網を選択する（Ｓ２０４）。この中継網３００による選択結果に基づいて、第２通信網２００に在圏する第１ＵＥ１１と、その第１ＵＥ１１のホーム網である第１通信網１００との間で、認証などの所定のセキュリティ手順が実行される（Ｓ２０５）。
【００３３】
次に、第２通信網２００のＭＭＥ２１１は、中継網３００を介して第１通信網１００のＨＳＳ１１４に位置登録要求を送信する（Ｓ２０６）。第１通信網１００のＨＳＳ１１４は、第２通信網２００のＭＭＥ２１１に、位置登録応答（Ｕｐｄａｔｅ  Ｌｏｃａｔｉｏｎ  Ａｎｓｗｅｒ信号）を送信する（Ｓ２０７）。この位置登録応答の信号に設定された情報により、ＭＭＥ２１１は、ホーム網１００のＰＧＷ１１３を選択する（Ｓ２０８）。
【００３４】
次に、在圏網（第２通信網）２００のＳＧＷ２１２と、ホーム網１００のＰＧＷ１１３と間でベアラ（ＱＣＩの値）が設定される（Ｓ２０９）。その後、在圏網（第２通信網）２００のＭＭＥ２１１は、アタッチが完了した旨のＡｔｔａｃｈ  Ａｃｃｅｐｔ信号を第１ＵＥ１１に送信する（Ｓ２１０）。
【００３５】
以上の処理により第１ＵＥ１１による第２通信網２００と第１通信網１００との間のローミングが開始され、第１通信網１００をホーム網とする第１ＵＥ１１が在圏網である第２通信網２００で通信可能な状態になる。例えば、第２通信網２００に在圏する第１ＵＥ１１で、第２通信網２００における内線番号の発着が可能になる。また、第２通信網２００に在圏する第１ＵＥ１１からＶＰＮなしで第２通信網２００におけるイントラネットにアクセス可能になる。
【００３６】
なお、第１通信網１００と第２通信網２００との間のローミングを制御するローミング制御装置は、中継網３００ではなく、第１通信網１００に設けてもよいし、複数の第２通信網２００のいずれかに設けてもよい。例えば、上記ローミング制御装置は、第１通信網１００のＭＭＥ１１又はＨＳＳ１１４に設けてもよい。
【００３７】
図５は、他の実施形態に係る通信システムの全体概略構成の一例を示す説明図であり、図６は、同通信システムにおける第１通信網及び第２通信網の主要構成の一例を示す図である。なお、図５、６において、図１、２と共通する部分については同じ符号を付し、それらの説明は省略する。また、本実施形態において、第１通信網１００と第２通信網２００は、国際ローミング通信事業者等の一般的な中継網を介して通信してもよい。
【００３８】
図５に示すように、本実施形態では、第１通信網１００のコアネットワーク（ＥＰＣ）１１０に前述のローミング制御装置が設けられ、第１通信網１００のコアネットワーク（ＥＰＣ）１１０と複数の第２通信網のコアネットワーク（ＥＰＣ）２１０それぞれが、ＬＴＥの所定のインターフェース（例えばＳ８インターフェース）４００を介して接続されている。
【００３９】
また、図６に示すように、本実施形態では、第１通信網１００と第２通信網２００とが中継網を介さずに通信を行っているが、中継網を介して通信を行ってもよい。
【００４０】
図７は、図６の通信システムにおいて第２通信網２００をホーム網とする移動局（第２ＵＥ）１２が第１通信網１００に在圏するときのローミング処理の一例を示すシーケンス図である。なお、図７において、図３と共通する部分については説明を省略する。
【００４１】
図７において、まず、第２通信網２００をホーム網とする移動局である第２ＵＥ１２が第１通信網１００に在圏するときに第２ＵＥ１２の電源をＯＮにする（Ｓ３０１）と、第２ＵＥ１２は、ＭＭＥ１１１に対して、ＩＭＳＩを含む位置登録要求（アタッチ要求信号）を送信する（Ｓ３０２）。
【００４２】
次に、第１通信網１００のＭＭＥ１１１は、第２ＵＥ１２から受信した位置登録要求に基づいて、第２ＵＥ１２のＩＭＳＩを解析し、ＩＭＳＩに含まれる拡張通信網識別番号と前記データベースの情報とに基づいて、第２ＵＥ１２のホーム網を選択する（Ｓ３０３）。このＭＭＥ１１１による選択結果に基づいて、第１通信網１００に在圏する第２ＵＥ１２と、その第２ＵＥ１２のホーム網である第２通信網２００との間で、認証などの所定のセキュリティ手順が実行される（Ｓ３０４）。
【００４３】
次に、第１通信網１００のＭＭＥ１１１は、第２ＵＥ１２から受信した位置登録要求（アタッチ要求信号）に基づいて、上記選択した第２通信網（ホーム網）２００との間で連携した位置登録のために、第２通信網２００のＨＳＳ２１４に対して、第２ＵＥ１２のＩＭＳＩを含む位置登録要求を送信する（Ｓ３０５）。第２通信網２００のＨＳＳ２１４は、第１通信網１００のＭＭＥ１１１に、位置登録応答（Ｕｐｄａｔｅ  Ｌｏｃａｔｉｏｎ  Ａｎｓｗｅｒ信号）を送信する（Ｓ３０６）。この位置登録応答の信号に設定された情報により、ＭＭＥ１１１は、ホーム網２００のＰＧＷ２１３を選択する（Ｓ３０７）。
【００４４】
次に、在圏網（第１通信網）１００のＳＧＷ１１２と、ホーム網２００のＰＧＷ２１３と間でベアラ（ＱＣＩの値）が設定される（Ｓ３０８）。その後、在圏網（第１通信網）１００のＭＭＥ１１１は、アタッチが完了した旨のＡｔｔａｃｈ  Ａｃｃｅｐｔ信号を第２ＵＥ１２に送信する（Ｓ３０９）。
【００４５】
以上の処理により第２ＵＥ１２による第２通信網２００と第１通信網１００との間のローミングが開始され、第２通信網２００をホーム網とする第２ＵＥ１２が在圏網である第１通信網１００で通信可能な状態になる。例えば、第１通信網１００に在圏する第２ＵＥ１２で、ホーム網の第２通信網２００における内線番号の発着が可能になる。また、第１通信網１００に在圏する第２ＵＥ１２からホーム網の第２通信網２００におけるイントラネットにアクセス可能になる。
【００４６】
図８は、更に他の実施形態に係る通信システムの全体概略構成の一例を示す説明図であり、図９は、同通信システムにおける第１通信網１００及び第２通信網２００の主要構成の一例を示す図である。なお、図８、９において、図１、２と共通する部分については同じ符号を付し、それらの説明は省略する。
【００４７】
図８に示すように、本実施形態では、第１通信網１００内にコアネットワーク（ＥＰＣ）１１０とは別に前述のローミング制御装置１４０を備え、この第１通信網１００のローミング制御装置１４０と複数の第２通信網のコアネットワーク（ＥＰＣ）２１０それぞれが、ＬＴＥの所定のインターフェース（例えばＳ８インターフェース）４００を介して接続されている。
【００４８】
また、図９に示すように、本実施形態では、第１通信網１００のローミング制御装置１４０と第２通信網２００のコアネットワーク（ＥＰＣ）２１０とが中継網を介さずに通信を行っているが、中継網を介して通信を行ってもよい。
【００４９】
図１０は、図９の通信システムにおいて第２通信網２００をホーム網とする移動局（第２ＵＥ）１２が第１通信網１００に在圏するときのローミング処理の一例を示すシーケンス図である。なお、図１０において、図３と共通する部分については説明を省略する。
【００５０】
図１０において、まず、第２通信網２００をホーム網とする移動局である第２ＵＥ１２が第１通信網１００に在圏するときに第２ＵＥ１２の電源をＯＮにする（Ｓ４０１）と、第２ＵＥ１２は、ＭＭＥ１１１に対して、ＩＭＳＩを含む位置登録要求（アタッチ要求信号）を送信する（Ｓ４０２）。
【００５１】
次に、第１通信網１００のＭＭＥ１１１は、第２ＵＥ１２から受信した位置登録要求（アタッチ要求信号）に基づいて、第２通信網（ホーム網）２００との間で連携した位置登録のために、ＭＭＥ／ＨＳＳ１４１に対して、第２ＵＥ１２のＩＭＳＩを含む位置登録要求を送信する（Ｓ４０３）。ＭＭＥ／ＨＳＳ１４１は、ＭＭＥ１１１から受信した位置登録要求に基づいて、第２ＵＥ１２のＩＭＳＩを解析し、ＩＭＳＩに含まれる拡張通信網識別番号と前記データベースの情報とに基づいて、第２ＵＥ１２のホーム網を選択する（Ｓ４０４）。このＭＭＥ／ＨＳＳ１４１による選択結果に基づいて、第１通信網１００に在圏する第２ＵＥ１２と、その第２ＵＥ１２のホーム網である第２通信網２００との間で、認証などの所定のセキュリティ手順が実行される（Ｓ４０５）。
【００５２】
次に、第１通信網１００のＭＭＥ１１１は、第２通信網２００のＨＳＳ２１４に位置登録要求を送信する（Ｓ４０６）。第２通信網２００のＨＳＳ２１４は、第１通信網１００のＭＭＥ１１１に、位置登録応答（Ｕｐｄａｔｅ  Ｌｏｃａｔｉｏｎ  Ａｎｓｗｅｒ信号）を送信する（Ｓ４０７）。この位置登録応答の信号は、ＭＭＥ１１１がホーム網２００のＰＧＷ２１３を選択するように設定される。この設定により、ＭＭＥ１１１は、ホーム網２００のＰＧＷ２１３を選択する（Ｓ４０８）。
【００５３】
次に、在圏網（第１通信網）１００のＳＧＷ１１２と、ホーム網２００のＰＧＷ２１３と間でベアラ（ＱＣＩ：ＱｏＳ  Ｃｌａｓｓ  Ｉｄｅｎｔｉｆｉｅｒの値）が設定される（Ｓ４０９）。その後、在圏網（第１通信網）１００のＭＭＥ１１１は、アタッチが完了した旨のＡｔｔａｃｈ  Ａｃｃｅｐｔ信号を第２ＵＥ１２に送信する（Ｓ４１０）。
【００５４】
以上の処理により第２ＵＥ１２による第２通信網２００と第１通信網１００との間のローミングが開始され、第２通信網２００をホーム網とする第２ＵＥ１２が在圏網である第１通信網１００で通信可能な状態になる。例えば、第１通信網１００に在圏する第２ＵＥ１２で、ホーム網の第２通信網２００における内線番号の発着が可能になる。また、第１通信網１００に在圏する第２ＵＥ１２からホーム網の第２通信網２００におけるイントラネットにアクセス可能になる。
【００５５】
図１１は、図９の通信システムにおいて第１通信網１００をホーム網とする移動局（第１ＵＥ）１１が第２通信網２００に在圏するときのローミング処理の一例を示すシーケンス図である。なお、図１１において、図３、４と同様な部分については説明を省略する。
【００５６】
図１１において、まず、第１通信網１００をホーム網とする移動局である第１ＵＥ１１が複数の第２通信網２００のいずれかに在圏するときに第１ＵＥ１１の電源をＯＮにする（Ｓ５０１）と、第１ＵＥ１１は、ＭＭＥ２１１に対して、ＩＭＳＩを含む位置登録要求（アタッチ要求信号）を送信する（Ｓ５０２）。
【００５７】
次に、在圏網の第２通信網２００のＭＭＥ２１１は、第１ＵＥ１１から受信した位置登録要求（アタッチ要求信号）に基づいて、第１通信網（ホーム網）１００との間で連携した位置登録のために、第１通信網１００のＭＭＥ／ＨＳＳ１４１に対して、第１ＵＥ１１のＩＭＳＩを含む位置登録要求を送信する（Ｓ５０３）。ＭＭＥ／ＨＳＳ１４１は、ＭＭＥ２１１から受信した位置登録要求に基づいて、第１ＵＥ１１のＩＭＳＩを解析し、ＩＭＳＩに含まれる事業者識別番号及び拡張通信網識別番号と前記データベースの情報とに基づいて、第１ＵＥ１１のホーム網及び在圏網を選択する（Ｓ５０４）。このＭＭＥ／ＨＳＳ１４１による選択結果に基づいて、第２通信網２００に在圏する第１ＵＥ１１と、その第１ＵＥ１１のホーム網である第１通信網１００との間で、認証などの所定のセキュリティ手順が実行される（Ｓ５０５）。
【００５８】
次に、第２通信網２００のＭＭＥ２１１は、第１通信網１００のＨＳＳ１１４に位置登録要求を送信する（Ｓ５０６）。第１通信網１００のＨＳＳ１１４は、第２通信網２００のＭＭＥ２１１に、位置登録応答（Ｕｐｄａｔｅ  Ｌｏｃａｔｉｏｎ  Ａｎｓｗｅｒ信号）を送信する（Ｓ５０７）。この位置登録応答の信号に設定された情報により、ＭＭＥ２１１は、ホーム網１００のＰＧＷ１１３を選択する（Ｓ５０８）。
【００５９】
次に、在圏網（第２通信網）２００のＳＧＷ２１２と、ホーム網１００のＰＧＷ１１３と間でベアラ（ＱＣＩの値）が設定される（Ｓ５０９）。その後、在圏網（第２通信網）２００のＭＭＥ２１１は、アタッチが完了した旨のＡｔｔａｃｈ  Ａｃｃｅｐｔ信号を第１ＵＥ１１に送信する（Ｓ５１０）。
【００６０】
以上の処理により第１ＵＥ１１による第２通信網２００と第１通信網１００との間のローミングが開始され、第１通信網１００をホーム網とする第１ＵＥ１１が在圏網である第２通信網２００で通信可能な状態になる。例えば、第２通信網２００に在圏する第１ＵＥ１１で、第２通信網２００における内線番号の発着が可能になる。また、第２通信網２００に在圏する第１ＵＥ１１からＶＰＮなしで第２通信網２００におけるイントラネットにアクセス可能になる。
【００６１】
図１２は、更に他の実施形態に係る通信システムの全体概略構成の一例を示す説明図であり、図１３は、同通信システムにおける第１通信網１００、第２通信網１００、及び第２通信網専用の中継通信事業者の自営中継網２５０の主要構成の一例を示す図である。なお、本実施形態では、第１通信網１００がキャリア通信網であり、第２通信網２００が自営通信網であるが、第１通信網１００及び第２通信網２００の両方がキャリア通信網であってもよく、第１通信網１００及び第２通信網２００の両方が自営通信網であってもよい。また、図１２、１３において、図１、２と共通する部分については同じ符号を付し、それらの説明は省略する。
【００６２】
図１２に示すように、本実施形態では、第２通信網（自営通信網）専用の中継通信事業者である自営通信事業者の自営中継網２５０を複数備え、各自営中継網２５０に複数の第２通信網（自営通信網）２００が接続されている。各自営中継網２５０は、第１通信網１００と第２通信網２００との間の通信を中継するプロキシノード群からなる通信中継装置２５１を備えている。この通信中継装置２５１と、第１通信網１００のコアネットワーク（ＥＰＣ）１１０及び第２通信網２００のコアネットワーク（ＥＰＣ）２１０とは、ＬＴＥの所定のインターフェース（例えばＳ８インターフェース）４００を介して接続されている。また、各通信中継装置２５１は、移動局１１、１２に割り当てられた国際移動体加入者識別情報（ＩＭＳＩ）に基づいて、移動局１１、１２が相互にローミング可能になるように第１通信網１００と第２通信網２００との間でローミング処理を行うとともに通信網間の通信を中継するローミング制御装置としても機能する。
【００６３】
本実施形態において、複数の第２通信網（自営通信網）２００が接続される自営通信事業者の複数の自営中継網２５０それぞれには、キャリア通信網と同様に、ＩＭＳＩの２桁の事業者識別番号割り当て部に設定される事業者識別番号が割り当てられている。また、自営中継網２５０の通信中継装置２５１に接続される複数の第２通信網（自営通信網）２００には、ＩＭＳＩの１０桁の加入者識別番号割り当て部の一部（本例では５桁）に設定される前述の拡張通信網識別番号が割り当てられている。
【００６４】
なお、図１３に示すように、本実施形態では、第１通信網１００と自営中継網２５０とが他の中継網を介さずに通信を行っているが、他の中継網を介して通信を行ってもよい。
【００６５】
図１４は、図１３の通信システムにおいて第１の自営中継網２５０に接続された第２通信網（自営通信網）２００をホーム網とする移動局（第２ＵＥ）１２が第１通信網１００に在圏するときのローミング処理の一例を示すシーケンス図である。
図１４において、まず、第１の自営中継網２５０に接続された第２通信網２００をホーム網とする移動局である第２ＵＥ１２が第１通信網１００に在圏するときに第２ＵＥ１２の電源をＯＮにする（Ｓ６０１）と、第２ＵＥ１２は、ＭＭＥ１１１に対して、ＩＭＳＩを含む位置登録要求（アタッチ要求信号）を送信する（Ｓ６０２）。
【００６６】
次に、第１通信網１００のＭＭＥ１１１は、第２ＵＥ１２から受信したＩＭＳＩを含む位置登録要求（アタッチ要求信号）に基づいて、第２通信網（ホーム網）２００との間で連携した位置登録のために、自営中継網２５０のＭＭＥ／ＨＳＳ２５１に対して、第２ＵＥ１２のＩＭＳＩを含む位置登録要求を送信する（Ｓ６０３）。ＭＭＥ／ＨＳＳ２５１は、ＭＭＥ１１１から受信した位置登録要求に基づいて、第２ＵＥ１２のＩＭＳＩを解析し、ＩＭＳＩに含まれる拡張通信網識別番号と前記データベースの情報とに基づいて、第２ＵＥ１２のホーム網を選択する（Ｓ６０４）。この自営中継網２５０による選択結果に基づいて、第１通信網１００に在圏する第２ＵＥ１２と、その第２ＵＥ１２のホーム網である第２通信網２００との間で、認証などの所定のセキュリティ手順が実行される（Ｓ６０５）。
【００６７】
次に、第１通信網１００のＭＭＥ１１１は、自営中継網２５０を介して第２通信網（自営通信網）２００のＨＳＳ２１４に位置登録要求を送信する（Ｓ６０６）。第２通信網２００のＨＳＳ２１４は、第１通信網１００のＭＭＥ１１１に、位置登録応答（Ｕｐｄａｔｅ  Ｌｏｃａｔｉｏｎ  Ａｎｓｗｅｒ信号）を送信する（Ｓ６０７）。この位置登録応答の信号は、ＭＭＥ１１１がホーム網２００のＰＧＷ２１３を選択するように設定される。この設定により、ＭＭＥ１１１は、ホーム網２００のＰＧＷ２１３を選択する（Ｓ６０８）。
【００６８】
次に、在圏網（第１通信網）１００のＳＧＷ１１２と、ホーム網２００のＰＧＷ２１３と間でベアラ（ＱＣＩ：ＱｏＳ  Ｃｌａｓｓ  Ｉｄｅｎｔｉｆｉｅｒの値）が設定される（Ｓ６０９）。その後、在圏網（第１通信網）１００のＭＭＥ１１１は、アタッチが完了した旨のＡｔｔａｃｈ  Ａｃｃｅｐｔ信号を第２ＵＥ１２に送信する（Ｓ６１０）。
【００６９】
以上の処理により第２ＵＥ１２による第１の自営中継網２５０に接続された第２通信網（自営通信網）２００と第１通信網１００との間のローミングが開始され、第２通信網２００をホーム網とする第２ＵＥ１２が在圏網である第１通信網１００で通信可能な状態になる。例えば、第１通信網１００に在圏する第２ＵＥ１２で、ホーム網の第２通信網２００における内線番号の発着が可能になる。また、第１通信網１００に在圏する第２ＵＥ１２からホーム網の第２通信網２００におけるイントラネットにアクセス可能になる。
【００７０】
図１５は、図１３の通信システムにおいて第１通信網１００をホーム網とする移動局（第１ＵＥ）１１が第１の自営中継網２５０に接続された第２通信網（自営通信網）２００に在圏するときのローミング処理の一例を示すシーケンス図である。なお、図１５において、図１４と同様な部分については説明を省略する。
【００７１】
図１５において、まず、第１通信網１００をホーム網とする移動局である第１ＵＥ１１が第１の自営中継網２５０に接続された複数の第２通信網２００のいずれかに在圏するときに第１ＵＥ１１の電源をＯＮにする（Ｓ７０１）と、第１ＵＥ１１は、ＭＭＥ２１１に対して、ＩＭＳＩを含む位置登録要求（アタッチ要求信号）を送信する（Ｓ７０２）。
【００７２】
次に、在圏網の第２通信網２００のＭＭＥ２１１は、第１ＵＥ１１から受信した位置登録要求（アタッチ要求信号）に基づいて、第１通信網（ホーム網）１００との間で連携した位置登録のために、第１の自営中継網２５００のＭＭＥ／ＨＳＳ２５１に対して、第１ＵＥ１１のＩＭＳＩを含む位置登録要求を送信する（Ｓ７０３）。ＭＭＥ／ＨＳＳ２５１は、ＭＭＥ２１１から受信した位置登録要求に基づいて、第１ＵＥ１１のＩＭＳＩを解析し、ＩＭＳＩに含まれる事業者識別番号及び拡張通信網識別番号と前記データベースの情報とに基づいて、第１ＵＥ１１のホーム網及び在圏網を選択する（Ｓ７０４）。この自営中継網２５０による選択結果に基づいて、第２通信網２００に在圏する第１ＵＥ１１と、その第１ＵＥ１１のホーム網である第１通信網１００との間で、認証などの所定のセキュリティ手順が実行される（Ｓ７０５）。
【００７３】
次に、第２通信網２００のＭＭＥ２１１は、第１の自営中継網２５０を介して第１通信網１００のＨＳＳ１１４に位置登録要求を送信する（Ｓ７０６）。第１通信網１００のＨＳＳ１１４は、第２通信網２００のＭＭＥ２１１に、位置登録応答（Ｕｐｄａｔｅ  Ｌｏｃａｔｉｏｎ  Ａｎｓｗｅｒ信号）を送信する（Ｓ７０７）。この位置登録応答の信号に設定された情報により、ＭＭＥ２１１は、ホーム網１００のＰＧＷ１１３を選択する（Ｓ７０８）。
【００７４】
次に、在圏網（第２通信網）２００のＳＧＷ２１２と、ホーム網１００のＰＧＷ１１３と間でベアラ（ＱＣＩの値）が設定される（Ｓ７０９）。その後、在圏網（第２通信網）２００のＭＭＥ２１１は、アタッチが完了した旨のＡｔｔａｃｈ  Ａｃｃｅｐｔ信号を第１ＵＥ１１に送信する（Ｓ７１０）。
【００７５】
以上の処理により第１ＵＥ１１による第１の自営中継網２５０に接続された第２通信網（自営通信網）２００と第１通信網１００との間のローミングが開始され、第１通信網１００をホーム網とする第１ＵＥ１１が在圏網である第２通信網２００で通信可能な状態になる。例えば、第２通信網２００に在圏する第１ＵＥ１１で、第２通信網２００における内線番号の発着が可能になる。また、第２通信網２００に在圏する第１ＵＥ１１からＶＰＮなしで第２通信網２００におけるイントラネットにアクセス可能になる。
【００７６】
以上、上記各実施形態によれば、ＩＭＳＩの加入者識別番号割り当て部の一部に複数の第２通信網を識別可能な拡張通信網識別番号を割り当てているため、ＩＭＳＩの２桁の事業者識別番号割り当て部に第２通信網の識別番号を割り当てる場合に比して、ローミング対象として識別可能な第２通信網の数を飛躍的に増やすことができる。従って、第２通信網が増えた場合でも第２通信網と第１通信網との間で移動局がローミング可能になる。
【符号の説明】
【００７７】
１１  第１通信網をホーム網とする移動局（第１ＵＥ）
１２  第２通信網をホーム網とする移動局（第２ＵＥ）
１００  第１通信網
１０５  基地局（ｅＮｏｄｅＢ）
１１０  コアネットワーク（ＥＰＣ）
１１１  ＭＭＥ（モビリティ・管理・エンティティ）
１１２  ＳＧＷ（サービング・ゲートウェイ）
１１３  ＰＧＷ（パケットデータ網・ゲートウェイ）
１１４  ＨＳＳ（ホーム加入者サーバ）
１１５  ＰＣＲＦ（ポリシー課金ルール機能）
１２０  ＩＭＳ
１３０  Ｇｉインターフェース装置
１４０  通信中継装置
２００  第２通信網
２０５  基地局（ｅＮｏｄｅＢ）
２１０  コアネットワーク（ＥＰＣ）
２１１  ＭＭＥ
２１２  ＳＧＷ
２１３  ＰＧＷ
２１４  ＨＳＳ
２２０  ＩＭＳ
２３０  アプリケーションサーバ（ＡＳ）
２４０  構内交換機（ＰＢＸ）
２５０  第２通信網専用の中継網（自営中継網）
２５０  通信中継装置
３００  中継網
３１０  通信中継装置
３１１  ＭＭＥ／ＨＳＳ
３１２  ＳＧＷ／ＰＧＷ
３１４  ＨＳＳ
３１５  ＰＣＲＦ
【先行技術文献】
【特許文献】
【００７８】
【特許文献１】特開２０１３−２１１９１８号公報
【図１】
2018014610.tif 000004
【図２】
2018014610.tif 000005
【図３】
2018014610.tif 000006
【図４】
2018014610.tif 000007
【図５】
2018014610.tif 000008
【図６】
2018014610.tif 000009
【図７】
2018014610.tif 000010
【図８】
2018014610.tif 000011
【図９】
2018014610.tif 000012
【図１０】
2018014610.tif 000013
【図１１】
2018014610.tif 000014
【図１２】
2018014610.tif 000015
【図１３】
2018014610.tif 000016
【図１４】
2018014610.tif 000017
【図１５】
2018014610.tif 000018
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
複数の通信網間のローミングを制御するローミング制御装置であって、
移動局との通信に国際移動体加入者識別情報を用いる第１通信網及び複数の第２通信網に接続され、
前記国際移動体加入者識別情報の加入者識別番号割り当て部の一部に、前記複数の第２通信網それぞれを識別するための拡張通信網識別情報が割り当てられ、
前記複数の第２通信網に対応する複数の拡張通信網識別情報を記憶する記憶手段と、
前記複数の第２通信網のいずれかをホーム網とする移動局が前記第１通信網又は他の第２通信網に在圏するとき、その移動局から受信した前記国際移動体加入者識別情報に含まれる拡張通信網識別情報と、前記記憶手段に記憶されている拡張通信網識別情報とに基づいて、前記移動局のホーム網を判断し、前記移動局が在圏する在圏網と前記ホーム網との間のローミングを開始するように制御する制御手段と、を備えることを特徴とするローミング制御装置。
【請求項２】
請求項１のローミング制御装置において、
前記第１通信網は通信事業者通信網であり、
前記第２通信網は自営通信網であることを特徴とするローミング制御装置。
【請求項３】
請求項１のローミング制御装置において、
前記第１通信網及び前記第２通信網はいずれも自営通信網であることを特徴とするローミング制御装置。
【請求項４】
請求項１のローミング制御装置において、
前記第１通信網及び前記第２通信網はいずれも通信事業者通信網であることを特徴とするローミング制御装置。
【請求項５】
請求項１乃至４のいずれかのローミング制御装置において、
前記拡張通信網識別情報は、前記加入者識別番号割り当て部の先頭の複数桁に割り当てられた番号であることを特徴とするローミング制御装置。
【請求項６】
請求項１乃至５のいずれかのローミング制御装置において、
前記第２通信網をホーム網とする移動局を識別可能な移動局識別番号は、前記国際移動体加入者識別情報の加入者識別番号割り当て部における前記拡張通信網識別情報以外の部分に割り当てられ、
前記移動局識別番号の桁数は前記第２通信網ごとに設定されていることを特徴とするローミング制御装置。
【請求項７】
移動局との通信に国際移動体加入者識別情報を用いる第１通信網及び複数の第２通信網の間の通信を中継する通信中継装置であって、
請求項１乃至６のいずれかのローミング制御装置を備え、
前記国際移動体加入者識別情報の加入者識別番号割り当て部の一部に、前記複数の第２通信網それぞれを識別可能な拡張通信網識別情報が割り当てられていることを特徴とする通信中継装置。
【請求項８】
移動局との通信に国際移動体加入者識別情報を用いる第１通信網及び複数の第２通信網と、請求項１乃至７のいずれかのローミング制御装置と、を備え、
前記国際移動体加入者識別情報の加入者識別番号割り当て部の一部に、前記複数の第２通信網それぞれを識別可能な拡張通信網識別情報が割り当てられていることを特徴とする通信システム。
【請求項９】
請求項８の通信システムにおいて、
前記第１通信網及び前記複数の第２通信網は、中継網を介して互いに接続され、
前記ローミング制御装置は、前記中継網に設けられていることを特徴とする通信システム。
【請求項１０】
請求項９の通信システムにおいて、
前記中継網は、国際ローミング中継網、又は、前記複数の第２の通信網が接続された第２通信網用のローミング中継網であることを特徴とする通信システム。
【請求項１１】
請求項８の通信システムにおいて、
前記ローミング制御装置は、前記第１通信網に設けられていることを特徴とする通信システム。
【請求項１２】
請求項８の通信システムにおいて、
前記ローミング制御装置は、前記複数の第２通信網のいずれかに設けられていることを特徴とする通信システム。
【請求項１３】
請求項８乃至１２のいずれかの通信システムにおいて、
前記第２通信網は、有線又は無線を介して複数の電話機が接続された交換機を備えることを特徴とする通信システム。
【請求項１４】
請求項１３の通信システムにおいて、
前記交換機はＰＨＳ（Ｐｅｒｓｏｎａｌ  Ｈａｎｄｙ  Ｐｈｏｎｅ  Ｓｙｓｔｅｍ）の基地局の機能を有することを特徴とする通信システム。
【請求項１５】
請求項８乃至１４のいずれかの通信システムにおいて、
前記第１通信網及び前記第２通信網は、ＬＴＥ（Ｌｏｎｇ  Ｔｅｒｍ  Ｅｖｏｌｕｔｉｏｎ）／ＬＴＥ−Ａｄｖａｎｃｅｄの標準規格に準拠し、
前記ローミング制御装置は、ＭＭＥ（Ｍｏｂｉｌｉｔｙ  Ｍａｎａｇｅｍｅｎｔ  Ｅｎｔｉｔｙ）又はＨＳＳ（Ｈｏｍｅ  Ｓｕｂｓｃｒｉｂｅｒ  Ｓｅｒｖｅｒ）に設けられていることを特徴とする通信システム。
【請求項１６】
請求項１５の通信システムにおいて、
前記第１通信網及び前記第２通信網における移動局との間の無線通信方式は、ＴＤ（Ｔｉｍｅ  Ｄｉｖｉｓｉｏｎ）−ＬＴＥ方式又はＦＤＤ（Ｆｒｅｑｕｅｎｃｙ  Ｄｉｖｉｓｉｏｎ  Ｄｕｐｌｅｘ）−ＬＴＥ方式であることを特徴とする通信システム。
【請求項１７】
複数の通信網間のローミングを制御するローミング制御方法であって、
第１通信網及び複数の第２通信網それぞれにおいて移動局との通信に用いられる国際移動体加入者識別情報の加入者識別番号割り当て部の一部に、前記複数の第２通信網それぞれを識別するための拡張通信網識別情報が割り当てられ、
前記複数の第２通信網のいずれかをホーム網とする移動局が第１通信網又は他の第２通信網に在圏するとき、その移動局から受信した前記国際移動体加入者識別情報に含まれる拡張事業者識別情報に基づいて前記移動局のホーム網を判断し、前記移動局が在圏する在圏網と前記ホーム網との間のローミングを開始することを特徴とするローミング制御方法。
【手続補正２】
【補正対象書類名】明細書
【補正対象項目名】０００４
【補正方法】変更
【補正の内容】
【０００４】
本発明の一態様に係るローミング制御装置は、複数の通信網間のローミングを制御するローミング制御装置であって、移動局との通信に国際移動体加入者識別情報を用いる第１通信網と複数の第２通信網とに接続され、前記国際移動体加入者識別情報の加入者識別番号割り当て部の一部に、前記複数の第２通信網それぞれを識別するための拡張通信網識別情報が割り当てられ、前記複数の第２通信網に対応する複数の拡張通信網識別情報を記憶する記憶手段と、前記複数の第２通信網のいずれかをホーム網とする移動局が他の第２通信網又は第１通信網に在圏するとき、その移動局から受信した前記国際移動体加入者識別情報に含まれる拡張事業者識別情報と、前記記憶手段に記憶されている拡張通信網識別情報とに基づいて、前記移動局のホーム網を判断し、前記移動局が在圏する在圏網と前記ホーム網との間のローミングを開始するように制御する制御手段と、を備える。
前記ローミング制御装置において、前記第１通信網は通信事業者通信網であり、前記第２通信網は自営通信網であってもよい。
また、ローミング制御装置において、前記第１通信網及び前記第２通信網はいずれも自営通信網であってもよいし、又は、通信事業者通信網であってもよい。
また、前記ローミング制御装置において、前記拡張通信網識別情報は、前記加入者識別番号割り当て部の先頭の複数桁に割り当てられた番号であってもよい。
また、前記ローミング制御装置において、前記第２通信網をホーム網とする移動局を識別可能な移動局識別番号は、前記国際移動体加入者識別情報の加入者識別番号割り当て部における前記拡張通信網識別情報以外の部分に割り当てられ、前記移動局識別番号の桁数は前記第２通信網ごとに設定してもよい。
【手続補正３】
【補正対象書類名】明細書
【補正対象項目名】０００６
【補正方法】変更
【補正の内容】
【０００６】
本発明の更に他の態様に係る通信システムは、移動局との通信に国際移動体加入者識別情報を用いる第１通信網及び複数の第２通信網と、前記いずれかのローミング制御装置と、を備え、前記国際移動体加入者識別情報の加入者識別番号割り当て部の一部に、前記複数の第２通信網それぞれを識別するための拡張通信網識別情報が割り当てられている。
前記通信システムにおいて、前記第１通信網及び前記複数の第２通信網は、中継網を介して互いに接続され、前記ローミング制御装置は、前記中継網に設けてもよい。ここで、前記中継網は、国際ローミング中継網、又は、前記複数の第２通信網が接続された第２通信網用のローミング中継網であってもよい。
また、前記通信システムにおいて、前記ローミング制御装置は、前記第１通信網、又は、前記複数の第２通信網のいずれかに設けてよい。
また、前記通信システムにおいて、前記第２通信網は、有線又は無線を介して複数の電話機が接続された交換機を備えてもよい。ここで、前記交換機はＰＨＳ（Ｐｅｒｓｏｎａｌ  Ｈａｎｄｙ  Ｐｈｏｎｅ  Ｓｙｓｔｅｍ）の基地局の機能を有してもよい。
また、前記通信システムにおいて、前記第１通信網及び前記第２通信網は、ＬＴＥ（Ｌｏｎｇ  Ｔｅｒｍ  Ｅｖｏｌｕｔｉｏｎ）／ＬＴＥ−Ａｄｖａｎｃｅｄの標準規格に準拠し、前記ローミング制御装置は、ＭＭＥ（Ｍｏｂｉｌｉｔｙ  Ｍａｎａｇｅｍｅｎｔ  Ｅｎｔｉｔｙ）又はＨＳＳ（Ｈｏｍｅ  Ｓｕｂｓｃｒｉｂｅｒ  Ｓｅｒｖｅｒ）に設けてもよい。ここで、前記第２通信網は、有線又は無線を介して複数の電話機が接続されたＰＢＸ（Ｐｒｉｖａｔｅ  Ｂｒａｎｃｈ  ｅＸｃｈａｎｇｅ）と、前記ＰＢＸとＥＰＣ（Ｅｖｏｌｖｅｄ  Ｐａｃｋｅｔ  Ｃｏｒｅ）との間の音声通信を中継するＩＭＳ（ＩＰ  Ｍｕｌｔｉｍｅｄｉａ  Ｓｕｂｓｙｓｔｅｍ）と、を備えてもよい。また、前記第１通信網及び前記第２通信網における移動局との間の無線通信方式は、ＴＤ（Ｔｉｍｅ  Ｄｉｖｉｓｉｏｎ）−ＬＴＥ方式又はＦＤＤ（Ｆｒｅｑｕｅｎｃｙ  Ｄｉｖｉｓｉｏｎ  Ｄｕｐｌｅｘ）−ＬＴＥ方式であってもよい。
【手続補正４】
【補正対象書類名】明細書
【補正対象項目名】０００７
【補正方法】変更
【補正の内容】
【０００７】
また、本発明の更に他の態様に係るローミング制御方法は、第１通信網及び複数の第２通信網それぞれにおいて移動局との通信に用いられる国際移動体加入者識別情報の加入者識別番号割り当て部の一部に、前記複数の第２通信網それぞれを識別するための可能な拡張通信網識別情報が割り当てられ、前記複数の第２通信網のいずれかをホーム網とする移動局が他の第２通信網又は第１通信網に在圏するとき、その移動局から受信した前記国際移動体加入者識別情報に含まれる拡張事業者識別情報に基づいて前記移動局のホーム網を判断し、前記移動局が在圏する在圏網と前記ホーム網との間のローミングを開始する。
【手続補正５】
【補正対象書類名】明細書
【補正対象項目名】００１２
【補正方法】変更
【補正の内容】
【００１２】
本実施形態において、第１通信網１００及び第２通信網２００はそれぞれ国際的な通信標準規格であるＬＴＥ／ＬＴＥ−Ａｄｖａｎｃｅｄに準拠した通信方式を用い、各通信網１００、２００と移動局との間の無線通信方式は、ＴＤ（Ｔｉｍｅ  Ｄｉｖｉｓｉｏｎ）−ＬＴＥ方式である。移動局１１，１２はいずれも、ＴＤ−ＬＴＥ方式により第１通信網１００及び第２通信網２００それぞれと通信することができる。なお、各通信網１００、２００と移動局との間の無線通信方式は、ＦＤＤ（Ｆｒｅｑｕｅｎｃｙ  Ｄｉｖｉｓｉｏｎ  Ｄｕｐｌｅｘ）−ＬＴＥ方式であってもよい。また、第１通信網１００及び第２通信網２００のいずれか一方の通信方式がＴＤ−ＬＴＥ方式であり他方がＦＤＤ−ＬＴＥ方式であってもよい。また、各通信網１００、２００における通信方式は、ＬＴＥ／ＬＴＥ−Ａｄｖａｎｃｅｄ以外の通信標準規格に準拠したものであってもよい。